(57)【要約】【課題】複数のレーザ発光モジュールを備えた光走査装置であって、低コストで精度が高い光走査をすることが可能なものを提供する。【解決手段】光を出射する第１及び第２の発光素子と、第１及び第２の発光素子から出射された光をそれぞれ像担持体を走査する第１及び第２の走査光に変換する手段と、第１の走査光が像担持体を走査する期間及び第２の走査光が像担持体を走査する期間の何れとも異なる期間において、第１及び第２の走査光を受光できる第１及び第２の受光素子と、第１の走査光が第１の受光素子を走査するときに第１の発光素子を発光させ、第１の走査光が第２の受光素子を走査するときに第１の発光素子を消灯させる手段と、第２の走査光が第１の受光素子を走査するときに第２の発光素子を消灯させ、第２の走査光が第２の受光素子を走査するときに第２の発光素子を発光させる手段を備える。【選択図】図１
2020201440.tif 000002
【特許請求の範囲】
【請求項１】
光を出射する第１の発光素子と、
光を出射する第２の発光素子と、
前記第１の発光素子から出射された光を像担持体を走査する第１の走査光に変換し、前記第２の発光素子から出射された光を前記像担持体を走査する第２の走査光に変換する光偏向手段と、
前記第１の走査光が前記像担持体を走査する期間及び第２の走査光が前記像担持体を走査する期間の何れとも異なる期間において、前記第１の走査光及び前記第２の走査光を受光できる第１の受光素子と、
前記第１の走査光が前記像担持体を走査する期間及び第２の走査光が前記像担持体を走査する期間の何れとも異なる期間において、前記第１の走査光及び前記第２の走査光を受光できる第２の受光素子と、
前記第１の走査光が前記第１の受光素子を走査するときに前記第１の発光素子を発光させ、前記第１の走査光が前記第２の受光素子を走査するときに前記第１の発光素子を消灯させる第１発光素子発光タイミング調整手段と、
前記第２の走査光が前記第１の受光素子を走査するときに前記第２の発光素子を消灯させ、前記第２の走査光が前記第２の受光素子を走査するときに前記第２の発光素子を発光させる第２発光素子発光タイミング調整手段と、
を備えることを特徴とする光走査装置。
【請求項２】
請求項１に記載の光走査装置であって、
前記第１の走査光が前記第１の受光素子を走査する期間と、前記第２の走査光が前記第２の受光素子を走査する期間とが異なるように構成されていることを特徴とする光走査装置。
【請求項３】
請求項１又は２に記載の光走査装置であって、
前記第１発光素子発光タイミング調整手段は、前記第１の受光素子が前記第１の走査光を検出した時刻に基づいて前記第１の発光素子の発光と消灯を制御することを特徴とする光走査装置。
【請求項４】
請求項１乃至３の何れか１項に記載の光走査装置であって、
前記第２発光素子発光タイミング調整手段は、前記第１の受光素子が前記第１の走査光を検出した時刻に基づいて前記第２の発光素子の発光と消灯を制御することを特徴とする光走査装置。
【請求項５】
請求項１乃至３の何れか１項に記載の光走査装置であって、
前記第２発光素子発光タイミング調整手段は、前記第２の受光素子が前記第２の走査光を検出した時刻に基づいて前記第２の発光素子の発光と消灯を制御することを特徴とする光走査装置。
【請求項６】
請求項１乃至３の何れか１項に記載の光走査装置であって、
前記第２発光素子発光タイミング調整手段は、前記第１の受光素子が前記第１の走査光を検出した時刻及び前記第２の受光素子が前記第２の走査光を検出した時刻の何れか一方に基づいて前記第２の発光素子の発光と消灯を制御することを特徴とする光走査装置。
【請求項７】
請求項６の何れか１項に記載の光走査装置であって、
前記第２発光素子発光タイミング調整手段は、少なくとも当該光走査装置が定常状態にないときには、前記第１の受光素子が前記第１の走査光を検出した時刻に基づいて前記第２の発光素子の発光と消灯を制御することを特徴とする光走査装置。
【請求項８】
請求項１乃至７の何れか１項に記載の光走査装置であって、
前記第１の走査光が前記第１の受光素子を走査する期間において前記第１の発光素子から出射する光を受光する第３の受光素子と、
前記第１の走査光が前記第１の受光素子を走査する期間において前記第１の受光素子から前記第３の受光素子が受光した光の強度に基づいて、前記第１の発光素子が出射する光の強度を調整する第１発光素子発光強度調整手段を更に備えることを特徴とする光走査装置。
【請求項９】
請求項１乃至８の何れか１項に記載の光走査装置であって、
前記第２発光素子発光タイミング調整手段は、更に、前記第２の走査光が前記像担持体を走査する期間、前記第１の走査光が前記第１の受光素子を走査する期間、及び、前記第２の走査光が前記第２の受光素子を走査する期間の何れとも異なる追加期間において、前記第２の発光素子を発光させ、
当該光走査装置は、
前記追加期間において前記第２の発光素子から出射する光を受光する第４の受光素子と、
前記追加期間において前記第２の発光素子から前記第４受光素子が受光した光の強度に基づいて、前記第２の発光素子が出射する光の強度を調整する第２発光素子発光強度調整手段を更に備えることを特徴とする光走査装置。
【請求項１０】
請求項１乃至９の何れか１項に記載の光走査装置であって、
前記第１の受光素子が前記第１の走査光を受光した時刻に基づいて、前記第１の走査光を第１の画像信号により変調する期間を調整する第１変調期間調整手段と、
前記第２の受光素子が前記第２の走査光を受光した時刻に基づいて、前記第２の走査光を第２の画像信号により変調する期間を調整する第２変調期間調整手段と、
を更に備えることを特徴とする光走査装置。
【請求項１１】
請求項１０に記載の光走査装置であって、
前記第１変調期間調整手段は、前記第１の受光素子が前記第１の走査光を受光した時刻から前記第１の走査光を前記第１の画像信号により変調する期間の開始時刻までの期間を第１テストパターンを利用して調整することを特徴とする光走査装置。
【請求項１２】
請求項１１に記載の光走査装置であって、
前記第１テストパターンとは、前記第１の受光素子が前記第１の走査光を受光した時刻から前記第１の走査光を前記第１の画像信号により変調する期間の開始時刻までの期間に応じて前記第１テストパターンの主走査方向の位置が変化すると、所定の主走査方向位置における副走査方向に沿った前記第１テストパターンの２点間距離が変化するものであることを特徴とする光走査装置。
【請求項１３】
請求項１０乃至１２の何れか１項に記載の光走査装置であって、
前記第２変調期間調整手段は、前記第２の受光素子が前記第２の走査光を受光した時刻から前記第２の走査光を前記第２の画像信号により変調する期間の開始時刻までの期間を第２テストパターンを利用して調整することを特徴とする光走査装置。
【請求項１４】
請求項１３に記載の光走査装置であって、
前記第２テストパターンとは、前記第２の受光素子が前記第２の走査光を受光した時刻から前記第２の走査光を前記第２の画像信号により変調する期間の開始時刻までの期間に応じて前記第２テストパターンの主走査方向の位置が変化すると、所定の主走査方向位置における副走査方向に沿った前記第２テストパターンの２点間距離が変化するものであることを特徴とする光走査装置。
【請求項１５】
請求項１０に記載の光走査装置であって、
前記第１変調期間調整手段は、前記第１の受光素子が前記第１の走査光を受光した時刻から前記第１の走査光を前記第１の画像信号により変調する期間の開始時刻までの期間を第１テストパターン及び第２テストパターンを利用して調整し、
前記第２変調期間調整手段は、前記第２の受光素子が前記第２の走査光を受光した時刻から前記第２の走査光を前記第２の画像信号により変調する期間の開始時刻までの期間を第１テストパターン及び第２テストパターンを利用して調整することを特徴とする光走査装置。
【請求項１６】
請求項１５に記載の光走査装置であって、
前記第１テストパターンとは、前記第１の受光素子が前記第１の走査光を受光した時刻から前記第１の走査光を前記第１の画像信号により変調する期間の開始時刻までの期間に応じて前記第１テストパターンの主走査方向の位置が変化すると、所定の主走査方向位置における副走査方向に沿った前記第１テストパターンの２点間距離が変化するものであり、
前記第２テストパターンとは、前記第２の受光素子が前記第２の走査光を受光した時刻から前記第２の走査光を前記第２の画像信号により変調する期間の開始時刻までの期間に応じて前記第２テストパターンの主走査方向の位置が変化すると、所定の主走査方向位置における副走査方向に沿った前記第２テストパターンの２点間距離が変化するものであることを特徴とする光走査装置。
【請求項１７】
請求項１乃至１６の何れか１項に記載の光走査装置を備えることを特徴とする複合機。
【発明の詳細な説明】
【技術分野】
【０００１】
本発明は、光走査装置及びこれを備える複合機に関する。
【背景技術】
【０００２】
原稿読み取り機能、原稿複写機能、原稿印刷機能、原稿データ送受信機能、原稿データ入出力機能などを含む複合機の多くは、電子写真式の画像形成装置を備えている。
【０００３】
電子写真式の画像形成装置においては、画像信号により変調されたレーザ光により像担持体である感光体ドラムに潜像を形成する。
【先行技術文献】
【特許文献】
【０００４】
【特許文献１】特開平１１−２３９８８号公報
【特許文献２】特開２０１５−２２２２９５号公報
【特許文献３】特開２００５−３３１６５７号公報
【発明の概要】
【発明が解決しようとする課題】
【０００５】
ここで、印刷画像の解像度を上げるために複数のレーザ光源を用いる画像形成装置がある。複数のレーザ光源を含んだレーザ発光モジュール（以下、単に「モジュール」ということもある。）が市販されているが、１つのモジュールの価格は、１つのモジュールに含まれるレーザ発光源の数に比例せず、１つのモジュールに含まれるレーザ発光源に依存して指数関数的に高くなる。そこで、複数のモジュールを用いて、コストを下げる構成が考えられる。例えば、８つのレーザ光源が必要である場合、８つのレーザ光源を含んだ１つのモジュールを用いるよりも、４つのレーザ光源を含んだ２つのモジュールを用いた方がコストを下げることができる。
【０００６】
１又は複数の発光素子を有するモジュールを例えば２組用いた光走査装置がある。このような光走査装置においては、例えば４２．３μｍの副走査方向のレーザビームピッチを得るためにこれらの２つのモジュールを副走査方向にずらして配置するが、主走査方向には、例えば、１００μｍずらして配置する。従って、第１のモジュールの発光素子が発光した光がＢＤセンサを走査するＢＤタイミングと第２のモジュールの発光素子が同一のＢＤセンサを走査するＢＤタイミングは非常に近接する。従って、ＢＤセンサから出力される光検出信号の波形は両方のＢＤタイミングについての波形が僅かにずれながらも重なったものとなってしまうため、ＢＤセンサから出力される光検出信号の波形に基づいて、それぞれのＢＤタイミングを分離して求めることが困難である。
【０００７】
特許文献１乃至３に開示されている発明では、１つのＢＤセンサに時系列にビームを入射させ、各ビームの検出信号を分離することによって、個別に書き出しのタイミングを取っているが、主走査方向のビームピッチ間隔が狭い場合、ＢＤセンサの応答が間に合わなくなり、各ビームを区別できなくなる可能性があった。また、ビーム毎に主走査方向の走査位置にズレが生じ、スクリーンとの干渉によるモアレが発生したり、画像が歪んだりしてしまう可能性があった。
【０００８】
これを解決するために、ポリゴン面毎に交互に同期検知用ビームを切り替える方式を採用すると、ポリゴンミラーは正確な六角柱ではないので、ポリゴン面間で誤差が発生してしまう。
【０００９】
また、これを解決するために、ポリゴンミラーが一周する周期でポリゴン面が更新される度に同期検知用ビームを切り替える方式を採用すると、ポリゴンモータの回転ムラの影響を受けてしまう。また、タイミングカウンタを高精度にして最大カウント数を大きくする必要が生じ、更に、ロジック回路が煩雑になってしまう。
【００１０】
そこで、本発明は、複数のレーザ発光モジュールを備えた光走査装置であって、低コストで精度が高い光走査をすることが可能なもの、及びこれを備える複合機を提供することを目的とする。
【課題を解決するための手段】
【００１１】
本発明によれば、
光を出射する第１の発光素子と、
光を出射する第２の発光素子と、
前記第１の発光素子から出射された光を像担持体を走査する第１の走査光に変換し、前記第２の発光素子から出射された光を前記像担持体を走査する第２の走査光に変換する光偏向手段と、
前記第１の走査光が前記像担持体を走査する期間及び第２の走査光が前記像担持体を走査する期間の何れとも異なる期間において、前記第１の走査光及び前記第２の走査光を受光できる第１の受光素子と、
前記第１の走査光が前記像担持体を走査する期間及び第２の走査光が前記像担持体を走査する期間の何れとも異なる期間において、前記第１の走査光及び前記第２の走査光を受光できる第２の受光素子と、
前記第１の走査光が前記第１の受光素子を走査するときに前記第１の発光素子を発光させ、前記第１の走査光が前記第２の受光素子を走査するときに前記第１の発光素子を消灯させる第１発光素子発光タイミング調整手段と、
前記第２の走査光が前記第１の受光素子を走査するときに前記第２の発光素子を消灯させ、前記第２の走査光が前記第２の受光素子を走査するときに前記第２の発光素子を発光させる第２発光素子発光タイミング調整手段と、
を備えることを特徴とする光走査装置が提供される。
【００１２】
また、本発明によれば、上記の光走査装置を備えることを特徴とする複合機が提供される。
【発明の効果】
【００１３】
本発明によれば、低コストで精度が高い光走査をすることが可能になる。
【図面の簡単な説明】
【００１４】
【図１】本発明の第１の実施の形態による光走査装置の構成を示す概念図である。
【図２】図１に示す第１ＢＤセンサ、第２ＢＤセンサ及びＢＤ基板の構成を示す平面図である。
【図３】本発明の第１の実施の形態による光走査装置の全体の動作を説明するためのタイミング図である。
【図４】本発明の第１の実施の形態による光走査装置の画像信号による走査光の変調の期間の調整の必要性を説明するためのタイミング図である。
【図５】本発明の第１の実施の形態による光走査装置の画像信号による走査光の変調の期間の調整のために用いられるパッチパターンなどを示す平面図である。
【図６】（ａ）乃至（ｄ）は、それぞれ、図５に示すパッチパターンの変形例を示す平面図である。
【図７】本発明の第１の実施の形態による光走査装置の構成を示す機能ブロック図である。
【図８】本発明の第１の実施の形態による光走査装置の他の構成を示す機能ブロック図である。
【図９】本発明の第１の実施の形態による光走査装置の更に他の構成を示す機能ブロック図である。
【図１０】本発明の第５の実施の形態による光走査装置の構成を示す概念図である。
【図１１】本発明の第６の実施の形態による光走査装置の構成を示す概念図である。
【図１２】本発明の第７の実施の形態による複合機の概念的断面図である。
【図１３】本発明の第７の実施の形態による複合機の機能ブロック図である。
【発明を実施するための形態】
【００１５】
以下、図面を参照して本発明を実施するための形態について詳細に説明する。
【００１６】
［第１の実施の形態］
図１を参照すると、本発明の第１の実施の形態による光走査装置は、第１ＬＤ（第１レーザダイオード）１０１−１、第２ＬＤ（第２レーザダイオード）１０１−２を備える。第１ＬＤ１０１−１は、１つの第１発光素子として機能し、第２ＬＤ１０１−２は、１つの第２発光素子として機能する。
【００１７】
また、この光走査装置は、第１コリメータレンズ１０３−１、第２コリメータレンズ１０３−２、入射ＣＹＬ（入射シリンドリカルレンズ）１０５、ポリゴンミラー１０７、ｆθレンズ１０９を備える。
【００１８】
第１ＬＤ１０１−１、第２ＬＤ１０１−２が出射したそれぞれの光は、第１コリメータレンズ１０３−１、第２コリメータレンズ１０３−２により平行光に変換され、入射ＣＹＬ１０５により幅が狭められ、光偏向手段としてのポリゴンミラー１０７により走査光に変換され、ｆθレンズ１０９により線速度が変換され、像担持体７４０（感光体ドラム）７４０を走査する第１走査光、第２走査光になる。
【００１９】
更に、この光走査装置は、ミラー１１１、ＢＤレンズ（ビーム・ディテクション・レンズ）１１３、第１ＢＤセンサ（第１ビーム・ディテクション・センサ）１１５−１、第２ＢＤセンサ（第２ビーム・ディテクション・センサ）１１５−２、ＢＤ基板１１７を備える。
【００２０】
第１ＢＤセンサ１１５−１及び第２ＢＤセンサ１１５−２は、ＢＤ基板１１７に搭載される。
【００２１】
上記の第１走査光及び第２走査光は、ミラー１１１にも入射する。ここで反射した第１走査光及び第２走査光は、それぞれ、ＢＤレンズ１１３を通過した後、第１ＢＤセンサ１１５−１及び第２ＢＤセンサ１１５−２に入射する。なお、第１走査光及び第２走査光が第１ＢＤセンサ１１５−１及び第２ＢＤセンサ１１５−２をどのように走査するかということに関する説明は後述する。
【００２２】
なお、第１ＬＤ１０１−１及び第２ＬＤ１０１−２からの光を受光することができる第３受光素子１３１がこれらの近傍に配置される。第３の受光素子を第１ＬＤ１０１−１専用のものと第２ＬＤ１０１−２専用のものとに分離してもよい。
【００２３】
図２を参照すると、ＢＤ基板１１７には、第１ＢＤセンサ１１５−１及び第２ＢＤセンサ１１５−２が主走査方向に並ぶように配置されている。
【００２４】
また、第１ＢＤセンサ１１５−１及び第２ＢＤセンサ１１５−２は、それぞれ、第１ＬＤ１０１−１及び第２ＬＤ１０１−２から出射された第１主走査光及び第２主走査光をを検出できるようにが配置される。
【００２５】
第１ＬＤ１０１−１から出射された第１主走査光に対して第２ＬＤ１０１−２から出射された第２主走査光は、第１ＢＤセンサ１１５−１及び第２ＢＤセンサ１１５−２の副走査方向で見て下方を走査する。
【００２６】
第１ＬＤ１０１−１から出射された第１主走査光が第１ＢＤセンサ１１５−１の副走査方向で見て中央付近を走査し、第２ＬＤ１０１−２から出射された第２主走査光が第２ＢＤセンサ１１５−２の副走査方向で見て中央付近を走査するように、第１ＢＤセンサ１１５−１及び第２ＢＤセンサ１１５−２は、副走査方向で見てずらして配置されるが、副走査方向で見て同一位置に配置されてもよい。
【００２７】
図３を参照すると、ＢＤ１は、第１ＢＤセンサ１１５−１が走査光を検出するとＬＯＷになる信号であり、ＢＤ２は、第２ＢＤセンサ１１５−２が走査光を検出するとＬＯＷになる信号である。
【００２８】
また、ＡＰＣ１は、第１ＬＤ１０１−１の発光／消灯を制御するための信号であり、ＬＯＷであるときに第１ＬＤ１０１−１は発光する。同様に、ＡＰＣ２は、第２ＬＤ１０１−２の発光／消灯を制御するための信号であり、ＬＯＷであるときに第２ＬＤ１０１−２は発光する。
【００２９】
図１に示すように、第１ＬＤ１０１−１による第１主走査光が、第１ＢＤセンサ１１５−１、第２ＢＤセンサ１１５−２及び像担持体７４０を１主走査においてこの順に走査するように構成されている。
【００３０】
同様に、第２ＬＤ１０１−１による第２主走査光が、第１ＢＤセンサ１１５−１、第２ＢＤセンサ１１５−２及び像担持体７４０を１主走査においてこの順に走査するように構成されている。
【００３１】
第１ＬＤ１０１−１は、ＡＰＣ１により、第１主走査光が第１ＢＤセンサ１１５−１を通過するときに点灯し、第１主走査光が第２ＢＤセンサ１１５−２を通過するときに消灯するように制御される。
【００３２】
また、第２ＬＤ１０１−２は、ＡＰＣ２により、第２主走査光が第１ＢＤセンサ１１５−１を通過するときに消灯し、第２主走査光が第２ＢＤセンサ１１５−２を通過するときに点灯するように制御される。
【００３３】
従って、第１ＢＤセンサ１１５−１は、図３に示すようなＢＤ１を発生する。つまり、第１ＢＤセンサ１１５−１は、第１主走査光が第１ＢＤセンサ１１５−１を通過し始める時刻ｔ１のみにおいてＨＩＧＨからＬＯＷに変化するＢＤ１を発生する。
【００３４】
また、第２ＢＤセンサ１１５−２は、図３に示すようなＢＤ２を発生する。つまり、第２ＢＤセンサ１１５−２は、第２主走査光が第２ＢＤセンサ１１５−２を通過し始める時刻ｔ４のみにおいてＨＩＧＨからＬＯＷに変化するＢＤ２を発生する。
【００３５】
更に、第２ＬＤ１０１−２は、ＡＰＣ２により、第２主走査光が第１ＢＤセンサ１１５−１を通過する前にある追加期間に点灯するように制御される。
【００３６】
具体的には、ＡＰＣ１は、時刻ｔ１から期間Ｔｃ１が経過した時刻ｔ２においてＬＯＷからＨＩＧＨに変化する。また、ＡＰＣ１は、時刻ｔ１から期間Ｔｃ２が経過した時刻ｔ１０においてＨＩＧＨからＬＯＷに変化する。更に、繰り返しとなるが、時刻ｔ１０１から期間Ｔｃ１が経過した時刻ｔ１０２においてＬＯＷからＨＩＧＨに変化する。
【００３７】
ＡＰＣ２は、時刻ｔ４から期間Ｔｄ１が経過した時刻ｔ５においてＬＯＷからＨＩＧＨに変化する。また、ＡＰＣ２は、時刻ｔ４から期間Ｔｄ２が経過した時刻ｔ８においてＨＩＧＨからＬＯＷに変化する。更に、時刻ｔ４から期間Ｔｄ３が経過した時刻ｔ９においてＬＯＷからＨＩＧＨに変化し、時刻ｔ４から期間Ｔｄ４が経過した時刻ｔ１０３においてＨＩＧＨからＬＯＷに変化する。更に、繰り返しとなるが、時刻ｔ１０４から期間Ｔｄ１が経過した時刻ｔ１０５においてＬＯＷからＨＩＧＨに変化する。
【００３８】
時刻ｔ１０から時刻ｔ１０２までのＡＰＣ１がＬＯＷである期間が第１ＬＤのＢＤ１信号生成のための点灯時間である。なお、この期間において、第１ＬＤ１０１−１の発光強度調整のための光量測定も第３受光素子１３１により行われる。
【００３９】
時刻ｔ１０３から時刻ｔ１０５までのＡＰＣ２がＬＯＷである期間が第２ＬＤのＢＤ２信号生成のための点灯時間である。
【００４０】
時刻ｔ８から時刻ｔ９までのＡＰＣ２がＬＯＷである期間が追加期間である。この追加期間において、第２ＬＤ１０１−２の発光強度調整のための光量測定が第３受光素子１３１により行われる。
【００４１】
次に、ＤＡＴＡ１は、第１走査光を変調する第１画像信号であり、第１ＢＤセンサ１１５−１が第１走査光を検出した時刻ｔ１から期間Ｔａ１が経過した時刻ｔ６から期間Ｔａ２に渡り第１走査光を変調する。
【００４２】
同様に、ＤＡＴＡ２は、第２走査光を変調する第２画像信号であり、第２ＢＤセンサ１１５−２が第２走査光を検出した時刻ｔ４から期間Ｔｂ１が経過した時刻ｔ７から期間Ｔｂ２に渡り第２走査光を変調する。
【００４３】
なお、上記では、時刻ｔ５を、時刻ｔ４から期間Ｔｄ１が経過した時刻として求めているが、その代わりに、時刻ｔ１から期間Ｔｄ１´として求めてもよい。
【００４４】
時刻ｔ５を時刻ｔ１を基準にして求めることは、特に、第２ＬＤ１０１−２を消灯させたまま、第１ＬＤ１０１−１の発光のみで初期状態から定常状態まで移行させる場合に有効であるが、この場合以外にこのようにして求めてもよい。
【００４５】
次に、図４を参照すると、温度変化による光学箱や基板の熱膨張などによりＢＤ１が時間的に前に移動して、ＢＤ１とＢＤ２との時間間隔が広がると、第１画像信号による第１走査光の変調期間が第２画像信号による第２走査光の変調期間に対して時間的に前に移動してしまい、画像で見た場合、水平方向のジッタが発生してしまう。
【００４６】
図示していないが、ＢＤ１が時間的に後ろに移動した場合、ＢＤ２が時間的に前又は後ろに移動した場合も同様である。
【００４７】
これを避けるために、下記のように、図３に示した期間Ｔａ１、期間Ｔｂ１を調整する。
【００４８】
後述する中間転写ベルト３５に図５に示すようなパッチパターンを形成する。
【００４９】
図５を参照すると、第１ＬＤ１０１−１による第１走査光によりパッチパターン１２３−１を中間ベルト３５に形成し、第２ＬＤ１０１−２による第２走査光によりパッチパターン１２３−２を中間ベルト３５に形成する。
【００５０】
ＢＤ１の位置ズレなどによりパッチパターン１２３−１の主走査方向の位置がずれると、レジセンサ１２１を用いて検出することができるＶ字の２つの斜め線の副走査方向における距離Ｔ１が変動する。具体的には、Ｖ字が主走査方向に沿って始点側に移動すると距離Ｔ１は長くなり、逆に、Ｖ字が主走査方向に沿って終点側に移動すると距離Ｔ１は短くなる。この距離Ｔ１が所定の距離Ｔ１０と等しくなるように、期間Ｔａ１を調整する。
【００５１】
同様に、ＢＤ２の位置ズレなどによりパッチパターン１２３−２の主走査方向の位置がずれると、レジセンサ１２１を用いて検出することができるＶ字の２つの斜め線の副走査方向における距離Ｔ２が変動する。具体的には、Ｖ字が主走査方向に沿って始点側に移動すると距離Ｔ２は長くなり、逆に、Ｖ字が主走査方向に沿って終点側に移動すると距離Ｔ２は短くなる。この距離Ｔ２が所定の距離Ｔ２０と等しくなるように、期間Ｔｂ１を調整する。
【００５２】
別の調整方法としては、距離Ｔ１と距離Ｔ２が等しくなるように、期間Ｔａ１、期間Ｔｂ１の双方又は一方を調整する。全体のオフセットは別途調整するようにしてもよい。
【００５３】
図６（ａ）乃至図６（ｄ）は、パッチパターンの変形例を示す。
【００５４】
図７を参照すると、１構成例による光走査装置は、第１発光素子発光タイミング調整部１４１−１、第１発光素子発光強度調整部１４３−１、第１変調期間調整部１４５−１、第１発光素子駆動部１４７−１を含む。
【００５５】
また、同様に、１構成例による光走査装置は、第２発光素子発光タイミング調整部１４１−２、第２発光素子発光強度調整部１４３−２、第２変調期間調整部１４５−２、第２発光素子駆動部１４７−２を含む。
【００５６】
なお、光走査装置が、第１発光素子１０１−１、第２発光素子１０１−２、第１受光素子１１５−１，第２受光素子１１５−２、第３受光素子１３１を含んでいるとみてもよい。
【００５７】
第１発光素子発光タイミング調整部１４１−１は、第１の走査光が第１の受光素子１１５−１を走査するときに第１の発光素子１０１−１を発光させ、第１の走査光が第２の受光素子１１５−２を走査するときに第１の発光素子１０１−１を消灯させる。
【００５８】
また、第１発光素子発光タイミング調整部１４１−１は、第１の受光素子１１５−１が第１の走査光を検出した時刻に基づいて第１の発光素子１０１−１の発光と消灯を制御する。
【００５９】
第１発光素子発光強度調整部１４３−１は、第１の走査光が第１の受光素子１１５−１を走査する期間において第１の発光素子１０１−１から第３の受光素子１３１が受光した光の強度に基づいて、第１の発光素子１０１−１が出射する光の強度を調整する。
【００６０】
第１変調期間調整部１４５−１は、第１の受光素子１１５−１が第１の走査光を受光した時刻に基づいて、第１の走査光を第１の画像信号により変調する期間を調整する。
【００６１】
また、第１変調期間調整部１４５−１は、第１の受光素子１１５−１が第１の走査光を受光した時刻から第１の走査光を第１の画像信号により変調する期間の開始時刻までの期間を第１テストパターンを利用して調整する。
【００６２】
第１テストパターンとは、図５、図６に示すパッチパターン１２３−１に対応し、第１の受光素子１１５−１が第１の走査光を受光した時刻から第１の走査光を第１の画像信号により変調する期間の開始時刻までの期間に応じて第１テストパターンの主走査方向の位置が変化すると、所定の主走査方向位置における副走査方向に沿った前記第１テストパターンの２点間距離が変化するものである。
【００６３】
第１発光素子駆動部１４７−１は、第１発光素子発光タイミング調整部１４１−１の出力、第１発光素子発光強度調整部１４３−１の出力、第１変調期間調整部１４５−１の出力に基づいて生成した駆動信号により第１発光素子１０１−１を駆動する。
【００６４】
第２発光素子発光タイミング調整部１４１−２は、第２の走査光が第１の受光素子１１５−１を走査するときに第２の発光素子１０１−２を消灯させ、第２の走査光が第２の受光素子１１５−２を走査するときに第２の発光素子を発光させる。
【００６５】
また、第２発光素子発光タイミング調整部１４１−２は、第２の受光素子１１５−２が第２の走査光を検出した時刻に基づいて第２の発光素子１０１−２の発光と消灯を制御する。
【００６６】
更に、第２発光素子発光タイミング調整部１４１−２は、更に、第２の走査光が像担持体７４０を走査する期間、第１の走査光が第１の受光素子１１５−１を走査する期間、及び、第２の走査光が第２の受光素子１１５−２を走査する期間の何れとも異なる追加期間において、第２の発光素子１０１−２を発光させる。
【００６７】
第２発光素子発光強度調整部１４３−２は、追加期間において第２の発光素子１０１−２から第３受光素子１３１が受光した光の強度に基づいて、第２の発光素子１０１−２が出射する光の強度を調整する。
【００６８】
なお、上述したように、第３の受光素子は、第１発光素子１０１−１専用の受光素子と第２発光素子１０１−２専用の受光素子に分離されていてもよい。
【００６９】
第２変調期間調整部１４５−２は、第２の受光素子１１５−２が第２の走査光を受光した時刻に基づいて、第２の走査光を第２の画像信号により変調する期間を調整する。
【００７０】
第２変調期間調整部１４５−２は、第２の受光素子１１５−２が第２の走査光を受光した時刻から第２の走査光を第２の画像信号により変調する期間の開始時刻までの期間を第２テストパターンを利用して調整する。
【００７１】
第２テストパターンとは、図５、図６に示すパッチパターン１２３−２に対応し、第２の受光素子が第２の走査光を受光した時刻から第２の走査光を第２の画像信号により変調する期間の開始時刻までの期間に応じて第２テストパターンの主走査方向の位置が変化すると、所定の主走査方向位置における副走査方向に沿った第２テストパターンの２点間距離が変化するものである。
【００７２】
第２発光素子駆動部１４７−２は、第２発光素子発光タイミング調整部１４１−２の出力、第２発光素子発光強度調整部１４３−２の出力、第２変調期間調整部１４５−２の出力に基づいて生成した駆動信号により第２発光素子１０１−２を駆動する。
【００７３】
既に説明したように、第１変調期間調整部１４５−１は、第１の受光素子が第１の走査光を受光した時刻から第１の走査光を第１の画像信号により変調する期間の開始時刻までの期間を第１テストパターン及び第２テストパターンを利用して調整してもよいし、第２変調期間調整部１４５−２は、第２の受光素子が第２の走査光を受光した時刻から第２の走査光を第２の画像信号により変調する期間の開始時刻までの期間を第１テストパターン及び第２テストパターンを利用して調整してもよい。
【００７４】
図８は、他の構成例による光走査装置を示す。この構成例においては、第２発光素子発光タイミング調整部１４１−２は、第１の受光素子１１５−１が第１の走査光を検出した時刻に基づいて第２の発光素子の発光と消灯を制御する。
【００７５】
図９は、更に他の構成例による光走査装置を示す。この構成例においては、第２発光素子発光タイミング調整部１４１−２は、第１の受光素子１１５−１が第１の走査光を検出した時刻及び第２の受光素子１１５−２が第２の走査光を検出した時刻の何れか一方に基づいて第２の発光素子１０１−２の発光と消灯を制御する。
【００７６】
また、第２発光素子発光タイミング調整部１４１−２は、少なくとも当該光走査装置が定常状態にないときには、第１の受光素子１１５−１が第１の走査光を検出した時刻に基づいて第２の発光素子１０１−２の発光と消灯を制御する。
【００７７】
［第２の実施の形態］
第１の実施の形態では、第１ＬＤ１０１−１及び第２ＬＤ１０１−２は、それぞれ、１つのみの発光素子を備えるものであった。これに対して、第２の実施の形態では、第１ＬＤ１０１−１及び第２ＬＤ１０１−２は、それぞれ、複数の発光素子を備えるモジュール型のものである。第１ＬＤ１０１−１及び第２ＬＤ１０１−２がそれぞれ複数の発光素子を備えるものである場合には、第１ＬＤ１０１−１の特定の１つの発光素子及び第２ＬＤ１０１−２の特定の１つの発光素子が第１ＢＤセンサ１１５−１、第２ＢＤセンサ１１５−２を照射するように制御され、他の発光素子は、第１ＢＤセンサ１１５−１、第２ＢＤセンサ１１５−２を照射しないように制御されるようにしてもよい。また、第２の実施の形態では、第３受光素子１３１は、第１ＬＤ１０１−１の上記特定の１つの発光素子及び第２ＬＤ１０１−２の上記特定の１つの発光素子が発光するときの光を受光する。
【００７８】
パッチパターン１２３−１、１２３−２及びレジセンサ１２１を用いたタイミングの調整は、発光素子毎に行うことができる。例えば、第１ＬＤ１０１−１に４つの発光素子が備わる場合、第１ＬＤ１０１−１のうちの１つの発光素子を用いて発生させたＢＤ信号を基準にして、これから第１乃至第４の発光素子に対応した第１乃至第４のパッチパターンにより第１乃至第４の走査光を変調する期間を個別に調整する。
【００７９】
［第３の実施の形態］
第１のＢＤセンサ１１５−１と第２のＢＤセンサ１１５−２を主走査方向においてできる限り近接させることにより、温度変化による両センサ間の距離の変動を抑えることができる。これにより、温度変化があっても第１ＬＤ１０１−１により形成される画像と第２ＬＤ１０１−２により形成される画像の主走査方向におけるズレを抑えることができるようになる。
【００８０】
特に、第１のＢＤセンサ１１５−１と第２のＢＤセンサ１１５−２を同一の基板に実装することにより、上記のことが容易になる。
【００８１】
更に、その基板をガラスエポキシ基板のような低膨張基板にすることにより、上記の効果を高めることができる。
【００８２】
［第４の実施の形態］
図２には、第１ＢＤセンサ１１５−１及び第２ＢＤセンサ１１５−２が近接して配置されている例が示されている。また、第３の実施の形態では、両センサを近接させて配置して両者間の主走査方向における距離が温度変動しないような構成が示されている。
【００８３】
しかし、両者間の主走査方向における距離が温度変動しないような構成である限り、両センサの主走査方向における相対位置に制限はなく、ある程度、離間して両センサが配置されてもよい。
【００８４】
第１の走査光と第２の走査光の時間的なズレと、第１ＢＤセンサ１１５−１と第２ＢＤセンサ１１５−２の走査方向における位置の間隔としては、図１０（ａ）乃至図１０（ｃ）の３通りがある。
【００８５】
図１０（ａ）の例では、第１走査光が消灯しつつ第２ＢＤセンサ１１５−１を通過する期間と、第２走査光が消灯しつつ第１ＢＤセンサ１１５−２を通過する期間が重複する。
【００８６】
図１０（ｂ）の例では、第１走査光が消灯しつつ第２ＢＤセンサ１１５−１を通過する期間の後に、第２走査光が消灯しつつ第１ＢＤセンサ１１５−２を通過する期間が存在する。
【００８７】
図１０（ｃ）の例では、第１走査光が消灯しつつ第２ＢＤセンサ１１５−１を通過する期間の前に、第２走査光が消灯しつつ第１ＢＤセンサ１１５−２を通過する期間が存在する。
【００８８】
これらの３通りの組み合わせの何れにおいても、第１ＬＤ１０１−１は、第１ＢＤセンサ１１５−１を通過するときに発光し、第２ＢＤセンサ１１５−２を通過するときに消灯する。また、第２ＬＤ１０１−２は、第１ＢＤセンサ１１５−１を通過するときに消灯し、第２ＢＤセンサ１１５−２を通過するときに発光する。
【００８９】
［第５の実施の形態］
第５の実施の形態は、第４の実施の形態を拡張したものである。
【００９０】
第４の実施の形態では、第１の走査光と第２の走査光が、主走査方向の同一位置を異なった時刻に走査するように構成されていることを前提としたものであるが、第８の実施の形態では、図１１（ａ）に示すように、少なくとも、第１ＢＤセンサ１１５−１と第２ＢＤセンサ１１５−２に関しては、第１の走査光と第２の走査光が、主走査方向の同一位置を同一の時刻に走査するように構成されている。
【００９１】
また、他の例として、図１１（ｂ）に示すように、少なくとも、第１ＢＤセンサ１１５−１と第２ＢＤセンサ１１５−２に関しては、第１の走査光と第２の走査光が、主走査方向の同一位置を僅かにずれた時刻に走査するように構成されている。
【００９２】
このような構成であっても、第１ＬＤ１０１−１が、第１ＢＤセンサ１１５−１を通過するときに発光し、第２ＢＤセンサ１１５−２を通過するときに消灯し、また、第２ＬＤ１０１−２が、第１ＢＤセンサ１１５−１を通過するときに消灯し、第２ＢＤセンサ１１５−２を通過するときに発光すれば、第１ＢＤ信号と第２ＢＤ信号を正常に発生させることができる。
【００９３】
［第６実施の形態］
同一のモジュールに含まれる複数の発光素子を別々のモジュールに含まれる発光素子と同様にして扱って上記の実施形態を適用することもできる。
【００９４】
例えば、４個の発光素子を含む２つのモジュールを利用する場合、第１ＢＤセンサ及び第２ＢＤセンサを第１ＢＤセンサ乃至第８ＢＤセンサに増加させる。そして、８つの発光素子は、対応するＢＤセンサを通過するときに点灯させるが、対応しないＢＤセンサを通過するときに消灯させる。そして、対応するＢＤセンサから出力されるＢＤ信号に基づいて画像信号により走査光を変調する期間を調整する。
【００９５】
［第７の実施の形態］
第７の実施の形態は、第１乃至第６の実施の形態による複合機８００に関するものである。図１２及び図１３は、複合機８００の構成などを示すものである。
【００９６】
図１２及び図１３に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。
【００９７】
画像読取りのために原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、原稿読取装置８２０により読み取られた画像やファクシミリ装置により受信した画像を格納することができる。ファクシミリ装置は、原稿読取装置８２０により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【００９８】
原稿読取装置８２０は、原稿を自動給送する原稿自動給送部ＳＰＦ(Single Pass Feeder)８２４と、原稿の画像を読み取る読取装置本体８２２と、を備えている。なお、原稿読取装置８２０は、図１３に示す構成要素の他に、図１３は示されないが図１２に示される構成要素も含む。また、図１２に示すように、読取装置本体８２２には、原稿台８２６が備わる。
【００９９】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【０１００】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【０１０１】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【０１０２】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【０１０３】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【０１０４】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナ７４３Ｙと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【０１０５】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【０１０６】
操作パネル部８４３は、所定の情報を表示する表示部８４５と、利用者が原稿読取装置８２０及び複合機本体８３０への指示を入力する入力部８４７と、を備えている。本実施形態においては、操作パネル部８４３は、読取装置本体８２２の正面側に配設されている。なお、正面側は図１２の紙面の手前側に対応し、裏面側は図１２の背面側に対応する。
【０１０７】
図１３に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、利用者による操作パネル部８４３への操作に基づいて、シート給送部１０、手差し給送部２０、画像形成部３０及び原稿読取装置８２０の動作を統合して制御し、シートに画像を形成させる。
【０１０８】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【０１０９】
利用者による操作パネル部８４３の入力部８４７への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【０１１０】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【０１１１】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【０１１２】
トナー像が転写されたシートは、定着部３４で加熱・加圧されることでトナー像が溶融定着され、排出ローラ対１８により装置外に排出される。装置外に排出されたシートは、排出シート積載部１９に積載される。
【０１１３】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【０１１４】
なお、上記の光走査装置は、ハードウェア、ソフトウェア又はこれらの組合わせにより実現することができる。また、上記の光走査装置により行なわれる光走査方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１１５】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１６】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【０１１７】
本発明は、電子写真式の画像形成装置などにおいて光走査のために利用することができる。
【符号の説明】
【０１１８】
１０１−１  第１ＬＤ（第１発光素子）
１０１−２  第２ＬＤ（第２発光素子）
１０３−１、１０３−２  コリメータレンズ
１０５  入射ＣＹＬ（入射シリンドリカルレンズ）
１０７  ポリゴンミラー
１０９  Ｆθレンズ
１１１  ミラー
１１３  ＢＤレンズ（ビーム・ディテクション・レンズ）
１１５−１  第１ＢＤセンサ（第１ビーム・ディテクション・センサ；第１受光素子）
１１５−２  第２ＢＤセンサ（第２ビーム・ディテクション・センサ；第２受光素子）
１１７  ＢＤ基板
１２１  レジセンサ
１２３−１  ＬＤ１によるパッチパターン
１２３−２  ＬＤ２によるパッチパターン
１３１  第３受光素子
１４１−１  第１発光素子発光タイミング調整部
１４１−２  第２発光素子発光タイミング調整部
１４３−１  第１発光素子発光強度調整部
１４３−２  第２発光素子発光強度調整部
１４５−１  第１変調期間調整部
１４５−２  第２変調期間調整部
１４７−１  第１発光素子駆動部
１４７−２  第２発光素子駆動部
７４０  像担持体（感光体ドラム）
【図１】
2020201440.tif 000003
【図２】
2020201440.tif 000004
【図３】
2020201440.tif 000005
【図４】
2020201440.tif 000006
【図５】
2020201440.tif 000007
【図６】
2020201440.tif 000008
【図７】
2020201440.tif 000009
【図８】
2020201440.tif 000010
【図９】
2020201440.tif 000011
【図１０】
2020201440.tif 000012
【図１１】
2020201440.tif 000013
【図１２】
2020201440.tif 000014
【図１３】
2020201440.tif 000015